(57)【要約】【課題】衣類が洗濯可能なもの（例えば、洗濯可能なスーツ）である場合に、当該衣類を取り出して洗濯する煩わしさを解消することができるガーメントケースを提供する。【解決手段】前部材３と後部材４とで形成される空間に衣類２を収納して持ち運ぶ、ガーメントケース１であって、前部材３と後部材４とが、メッシュ生地で構成されるものであり、より好ましくは、衣類２の上部を保持する上保持部材９を備えるものとする。また、衣類２の下部を保持する下保持部材１０を備えるものとする。【選択図】図１
2018102595.tif 000002
【特許請求の範囲】
【請求項１】
前部材と後部材とで形成される空間に衣類を収納して持ち運ぶ、ガーメントケースであって、
前部材と後部材とが、メッシュ生地で構成される、
ガーメントケース。
【請求項２】
前記衣類の上部を保持する上保持部材を備える、
請求項１に記載のガーメントケース。
【請求項３】
前記衣類の下部を保持する下保持部材を備える、
請求項１または請求項２に記載のガーメントケース。
【発明の詳細な説明】
【技術分野】
【０００１】
本発明は、ガーメントケースの技術に関する。
【背景技術】
【０００２】
従来、ガーメントケース（ガーメントバッグ）に関する技術は、種々知られている（特許文献１参照）。前記ガーメントケースは、スーツ等の衣類を内部に収納して持ち運ぶ（携帯する）用途として用いられる。
また、ガーメントケースには、一般的なものとして、前部材と、後部材と、被せ部材と、開口部と、前ファスナと、を備えるものがある。前部材、後部材、および、被せ部材は、所定形状の布地で構成され、互いに縫い合わせるように連結される。前部材は、左右一対の部材からなり、後部材の前方に配置される。前部材と後部材とは、一体的に構成され、前部材と後部材とで形成される内部は、衣類が収容される空間として構成される。被せ部材は、前部材の前方に被さるように配置される。被せ部材と前部材とは、一体的に構成される。被せ部材の上端に開口部として構成される切込みが形成される。前ファスナは、前部材の左右一対の部材の中央側縁部に上下方向に沿って配置される。前ファスナは、スライダを上方に移動させることによって、前部材を構成する左右の部材を連結する。
【先行技術文献】
【特許文献】
【０００３】
【特許文献１】特開２００３−１５３７１９号公報
【発明の概要】
【発明が解決しようとする課題】
【０００４】
しかしながら、前記ガーメントケースに収納される衣類として、縫製技術の発達や生地加工技術の向上等によって、洗濯可能なスーツが開発されて市販されている。
もっとも、ガーメントケース（前部材、後部材、および、被せ部材を構成）は、例えば、革素材、ビニール生地、目の細かい生地等で構成されることから、衣類を収納した状態で当該衣類を洗濯することに適していない。
このため、前記ガーメントケースによれば、収納される衣類が洗濯可能なもの（例えば、洗濯可能なスーツ）であっても、これを洗濯しようとする場合には、ガーメントケースから衣類を取り出すことを要し、煩雑であった。
【０００５】
本発明は、以上の如き状況に鑑みてなされたものであり、衣類が洗濯可能なものである場合に、当該衣類を取り出して洗濯する煩わしさを解消することができるガーメントケースを提供することを課題とする。
【課題を解決するための手段】
【０００６】
本発明の解決しようとする課題は以上の如くであり、次にこの課題を解決するための手段を説明する。
【０００７】
即ち、請求項１においては、前部材と後部材とで形成される空間に衣類を収納して持ち運ぶ、ガーメントケースであって、前部材と後部材とが、メッシュ生地で構成されるものである。
【０００８】
請求項２においては、前記衣類の上部を保持する上保持部材を備えるものである。
【０００９】
請求項３においては、前記衣類の下部を保持する下保持部材を備えるものである。
【発明の効果】
【００１０】
本発明の効果として、以下に示すような効果を奏する。
即ち、本発明によれば、衣類が洗濯可能なものである場合に、当該衣類を取り出して洗濯する煩わしさを解消することができる。
【図面の簡単な説明】
【００１１】
【図１】本発明の実施形態に係るガーメントケースを示した正面図。
【図２】同じくガーメントケースを示した正面図。
【図３】同じくガーメントケースの内部構造を示した図。
【図４】同じくガーメントケースの内部構造を示した図。
【図５】同じくガーメントケースの内部構造を示した図。
【図６】同じくガーメントケースを示した正面図。
【図７】同じくガーメントケースを示した正面図。
【図８】同じくガーメントケースを示した斜視図。
【図９】同じくガーメントケースを示した斜視図。
【図１０】同じくガーメントケースを示した斜視図。
【図１１】同じくガーメントケースを示した正面図。
【図１２】同じくガーメントケースを折り畳んだ状態を示した正面図。
【図１３】同じくガーメントケースを折り畳んだ状態を示した正面図。
【図１４】同じくガーメントケースを折り畳んだ状態を示した背面図。
【図１５】同じくガーメントケースを折り畳んだ状態を示した平面図。
【図１６】同じくガーメントケースを折り畳んだ状態を示した底面図。
【図１７】同じくガーメントケースを折り畳んだ状態を示した左側面図。
【図１８】同じくガーメントケースを折り畳んだ状態を示した右側面図。
【図１９】同じくガーメントケースを示した正面図。
【図２０】同じくガーメントケースの内部構造を示した図。
【図２１】同じくガーメントケースを折り畳んだ状態を示した正面図。
【図２２】同じくガーメントケースを折り畳んだ状態を示した正面図。
【図２３】同じくガーメントケースの内部構造を示した図。
【発明を実施するための形態】
【００１２】
次に、図１から図２３に記載のガーメントケース１について説明する。なお以下において、図中における黒色矢印は、線ファスナのスライダの移動方向を示すものとし、また、図中における白色矢印は、ガーメントケース１の折り畳み方向を示すものとして説明する。
【００１３】
ガーメントケース１（ガーメントバッグ）は、スーツ等の衣類２を内部に収納して持ち運ぶ用途に用いられる。
図１から図１８に示すように、ガーメントケース１は、前部材３と、後部材４と、被せ部材５と、開口部６と、前ファスナ７と、縁ファスナ８と、上保持部材９と、下保持部材１０と、を備える。ガーメントケース１の前部材３、後部材４、および、被せ部材５は、所定形状の布地で構成され、互いに縫い合わせるように連結される。
【００１４】
ガーメントケース１の前部材３は、左右一対の部材からなり、後部材４の前方に配置される。前部材３と後部材４とは、前部材３の左右縁部と後部材４の左右縁部とがそれぞれ連結されて一体的に構成される。前部材３と後部材４とで形成される内部は、衣類２が収容される空間として構成される。
被せ部材５は、前部材３の前方に被さるように配置される。被せ部材５と前部材３とは、被せ部材５の上縁部と前部材３の上縁部とが連結されて一体的に構成される。被せ部材５の上端には、開口部６として構成される切込みが形成される。
開口部６は、ハンガー１２に掛けられた衣類２がガーメントケース１内に収納された状態で、当該ハンガー１２の上部のフックが突出可能に構成される。
【００１５】
ガーメントケース１の前ファスナ７は、線ファスナであり、前部材３の左右一対の部材の中央側縁部に上下方向に沿って配置される。前ファスナ７は、スライダを上方に移動させることによって、前部材３を構成する左右の部材を連結する。
縁ファスナ８は、線ファスナであり、前部材３と後部材４との縁部に配置される。縁ファスナ８は、スライダを前部材３と後部材４との縁部に沿って移動させることによって、前部材３および後部材４を上下に二つ折りするように、前部材３および後部材４の上方縁部と、前部材３および後部材４の下方縁部と、を連結する（図１２参照）。
【００１６】
ガーメントケース１（前部材３、後部材４、および、被せ部材５）は、メッシュ素材からなる洗濯可能な生地で構成される。
このため、ガーメントケース１によれば、衣類２を収納した状態で洗濯機の洗濯槽（ドラム）内にガーメントケース１を投入して、ガーメントケース１に収納される衣類２を洗濯することができる。
したがって、ガーメントケース１によれば、衣類２が洗濯可能なものである場合に、当該衣類２をガーメントケース１から取り出して洗濯する煩わしさを解消することができる。
【００１７】
以上のように、縁ファスナ８を備えるガーメントケース１によれば、前部材３および後部材４を上下に二つ折りするように、前部材３および後部材４の上方縁部と、前部材３および後部材４の下方縁部と、を連結することができることから、例えば、ガーメントケース１を持ち運ぶときにコンパクトに構成する。
また、ガーメントケース１では、縁ファスナ８によって、前部材３および後部材４を上下に二つ折りするように上方縁部と下方縁部とを連結することによって、洗濯機中のガーメントケース１が洗濯槽内で広がって、ガーメントケース１内で衣類２が暴れることを抑制することができる。したがって、ガーメントケース１によれば、ガーメントケース１内に収納された状態で洗濯した衣類２にシワが生じることを抑制することができる。
【００１８】
ガーメントケース１の上保持部材９は、ガーメントケース１内における後部材４の上部（後部材４の内側面の上部）に設けられる。上保持部材９は、ガーメントケース１内に収納された衣類２（スーツ）の上部を保持する。上保持部材９は、帯状の部材であり、ガーメントケース１内に収納された衣類２（スーツ）の上着の襟吊、または、ズボンのベルト通し等に挿通可能に構成される。上保持部材９は、先端部と基端部とに面ファスナが設けられて構成される。上保持部材９は、上着の襟吊、または、ズボンのベルト通し等に挿通された状態で、先端部の気端部との面ファスナを連結することによって環状に形成されて、当該衣類２を保持する（図４、図５、図９、または図１０参照）。
【００１９】
以上のように、上保持部材９を備えるガーメントケース１によれば、ガーメントケース１内に収納された衣類２（上着の襟吊、または、ズボンのベルト通し）に上保持部材９を挿通した状態で環状に形成して当該衣類２を保持することから、洗濯機中のガーメントケース１内で衣類２が暴れること（ガーメントケース１内で衣類２の位置が大きくずれたり、衣類が大きくよじれながら洗濯されること）を抑制することができる。したがって、ガーメントケース１によれば、ガーメントケース１内に収納された状態で洗濯した衣類２にシワが生じることを抑制することができる。
【００２０】
ガーメントケース１の下保持部材１０は、ガーメントケース１内の下部に配置される。下保持部材１０は、ガーメントケース１内に収納された衣類２（スーツ）の下部を保持する。下保持部材１０は、長さ調節可能な帯状の部材の先端部にクリップが設けられて構成され、ガーメントケース１内に収納された衣類２（スーツ）の上着の裾またはズボンの裾をクリップで挟むことによって、当該衣類２を保持する（図４、図５、または図１１参照）。なお、下保持部材１０の帯状の部材は、伸縮可能な素材（例えばゴム素材）で構成することもできる。
【００２１】
以上のように、下保持部材１０を備えるガーメントケース１によれば、ガーメントケース１内に収納された衣類２の下部を下保持部材１０で保持することから、洗濯機中のガーメントケース１内で衣類２が暴れることを抑制することができる。したがって、ガーメントケース１によれば、ガーメントケース１内に収納された状態で洗濯した衣類２にシワが生じることを抑制することができる。
【００２２】
また、図１９から図２２に示すように、ガーメントケース１は、留め部１１と、ハンガー１２と、を備える構成とすることもできる。
【００２３】
ガーメントケース１のハンガー１２は、衣類２を吊るためのものであり、アームに上着を掛け、ビームにズボンを吊下げ可能に構成される。ハンガー１２は、シリコン樹脂素材で構成される。
ハンガー１２は、孔部１２ａを備える。ハンガー１２の孔部１２ａは、上保持部材９が挿通可能に構成される貫通孔である。ハンガー１２は、孔部１２ａに上保持部材９が挿通された状態で先端部の気端部との面ファスナを連結することによって環状に形成されて、上保持部材９に保持される。
【００２４】
以上のように、孔部１２ａに上保持部材９が挿通された状態で、ハンガー１２が上保持部材９に保持されることから、ハンガー１２に衣類２（上着およびズボン）が吊られた状態でガーメントケース１内に収納して、当該衣類２を洗濯することができる。
このため、ガーメントケース１によれば、洗濯機中のガーメントケース１内で上着またはズボンの何れか一方が上保持部材９または下保持部材１０に保持されずに、暴れることを抑制することができる。したがって、ガーメントケース１によれば、ガーメントケース１内に収納された状態で洗濯した衣類２にシワが生じることを抑制することができる。
【００２５】
また、ガーメントケース１のハンガー１２は、前部または後部の左右幅の１／３以上２／３以下の左右幅に構成される。ハンガー１２は、前部または後部の左右幅の訳１／２の左右幅に構成される。
このため、ガーメントケース１によれば、ハンガー１２に吊られた状態でガーメントケース１内に衣類２を収納した状態で、前部材３および後部材４のそれぞれの左部と右部とを折り畳むことができ（図２２参照）、ガーメントケース１を持ち運ぶとき、または、洗濯するとき等に、コンパクトに構成する。
【００２６】
ガーメントケース１の留め部１１は、前述のように折り畳まれた前部材３および後部材４のそれぞれの左部と右部とを、それぞれ留めて保持する、スナップボタンやファスナ等の留め具で構成される。留め具は、後部材４の外側面（後面）に配置される。
留め部１１は、例えば、スナップボタンで構成された場合には、折り畳まれた左部を留めるために二個（複数個）、折り畳まれた右部を留めるために二個（複数個）、それぞれ配置される。
【００２７】
以上のように、留め部１１を備えるガーメントケース１によれば、留め部１１によって、折り畳まれた前部材３および後部材４のそれぞれの左部と右部とを、それぞれ留めて保持することから、前部材３および後部材４のそれぞれの左部と右部とを折り畳んだ状態を保持することができる。
【００２８】
ガーメントケース１は、衣類２を収納した状態で所定の形状に折り畳んで、これをメッシュ生地で構成される袋物に入れた状態で、洗濯機の洗濯槽に投入して、衣類２を洗濯することもできる。
上保持部材９は、長さ調節可能な帯状の部材の先端部にクリップが設けられて構成され、ガーメントケース１内に収納された衣類２（スーツ）の上着の襟部またはズボンのウエスト部をクリップで挟むことによって、当該衣類２を保持する構成とすることもできる（図２３参照）。このとき、上保持部材９の帯状の部材は、伸縮可能な素材（例えばゴム素材）で構成することもできる。
【符号の説明】
【００２９】
１    ガーメントケース
２    衣類
３    前部材
４    後部材
５    被せ部材
６    開口部
７    前ファスナ
８    後ファスナ
９    上保持部材
１０  下保持部材
１１  留め部
１２  ハンガー
【図１】
2018102595.tif 000003
【図２】
2018102595.tif 000004
【図３】
2018102595.tif 000005
【図４】
2018102595.tif 000006
【図５】
2018102595.tif 000007
【図６】
2018102595.tif 000008
【図７】
2018102595.tif 000009
【図８】
2018102595.tif 000010
【図９】
2018102595.tif 000011
【図１０】
2018102595.tif 000012
【図１１】
2018102595.tif 000013
【図１２】
2018102595.tif 000014
【図１３】
2018102595.tif 000015
【図１４】
2018102595.tif 000016
【図１５】
2018102595.tif 000017
【図１６】
2018102595.tif 000018
【図１７】
2018102595.tif 000019
【図１８】
2018102595.tif 000020
【図１９】
2018102595.tif 000021
【図２０】
2018102595.tif 000022
【図２１】
2018102595.tif 000023
【図２２】
2018102595.tif 000024
【図２３】
2018102595.tif 000025